(57)【要約】【課題】視聴家電製品の上に嵌設し、視聴家電製品から取り外すと、リモコンとして使用できる移動可能なコントロールパネルを提供する。【解決手段】移動可能なコントロールパネルであって、マイクロプロセッサーと、無線伝送/接収モジュールと、ディスプレイモジュールと、音源アンプモジュール及びイヤホン接続器と、によって構成され、前記コントロールパネルは、視聴家電製品の上に嵌設され、視聴家電製品のリモコンとしても利用することが出来、視聴家電製品を使わない時、或いはリモートコントロールしない時は、前記コントロールパネルを視聴家電製品の上に嵌設したまま、直接押しボタン方式でこのコントロールパネルを使用することが出来る。ユーザーが離れた位置で遠隔操作を行いたい時は、前記コントロールパネルを視聴家電製品から取り外すと、前記コントロールパネルはリモコンの役割を果たすことが出来る。【選択図】図４
0003140112.tif 000002
【実用新案登録請求の範囲】
【請求項１】
マイクロプロセッサーに接続され、視聴家電製品の中に設置された伝送/接収モジュールと相互にコントロール信号や音源信号及びディスプレイ信号を伝送/接収するための無線伝送/接収モジュールと、
無線伝送/接収モジュールと、ディスプレイコントロールモジュール及び音源アンプモジュールとに接続され、各モジュール間のデータ転換及び伝送処理を行うためのマイクロプロセッサーと、
マイクロプロセッサーに接続され、視聴家電製品の使用状態やコントロール情報及びコントロール指令の入力をディスプレイ・コントロールするためのディスプレイ・コントロールモジュールと、
マイクロプロセッサーに接続され、視聴家電製品から伝送される音源信号を拡大し、且つその信号をイヤホン接続器に出力するための音源アンプモジュールと、
音源アンプモジュールに接続され、音源信号を接収し、且つイヤホンを差し込んで音源を出力するためのイヤホン接続器と、を含み、
ケースと、音源出力とを有することを特徴とする、
移動可能なコントロールパネル。
【請求項２】
マイクロプロセッサーに接続され、視聴家電製品の中に設置された伝送/接収モジュールと相互にコントロール信号や音源信号及びディスプレイ信号を伝送/接収するための無線伝送/接収モジュールと、
無線伝送/接収モジュールと、ディスプレイコントロールモジュール及び音源アンプモジュールとに接続され、各モジュール間のデータ転換及び伝送処理を行うためのマイクロプロセッサーと、
マイクロプロセッサーに接続され、視聴家電製品の使用状態やコントロール情報及びコントロール指令の入力をディスプレイ・コントロールするためのディスプレイ・コントロールモジュールと、を含み、
ケースを有し、移動可能なコントロールパネルを形成したことを特徴とする、
移動可能なコントロールパネル。
【請求項３】
前記移動可能なコントロールパネルは、視聴家電製品の上に嵌設又は分離することが出来ることを特徴とする、請求項１又は２に記載の移動可能なコントロールパネル。
【請求項４】
前記移動可能なコントロールパネルは、視聴家電製品の上に搭載中は、視聴家電製品を通じて充電を行うことが出来ることを特徴とする、請求項１又は２に記載の移動可能なコントロールパネル。
【考案の詳細な説明】
【技術分野】
【０００１】
本考案は、コントロールパネル、特に、視聴家電製品の上に設置又は取り外し、且つ前記コントロールパネルをリモコンとして転用することの出来る移動可能なコントロールパネルに関するものである。
【背景技術】
【０００２】
科学技術が日進月歩するに伴い、各種の視聴家電製品も多様化へ向かって発展しつつある。
ただ一つ変わりないのは、リモコンの使用方式である。
従来の視聴家電製品を購入する時は、通常リモコンを付帯し、ユーザーが遠距離から操作しやすいようにしてある。
【０００３】
しかし、このような使用方式では、下記のような不便さと欠点がある。
１．ユーザーは通常リモコンで視聴家電製品を操作することに慣れているため、視聴家電製品の上に設置されたディスプレイパネル及び押しボタンは無用の長物となり、やたらに視聴家電製品の製造コストを増加させるだけである。
２．視聴家電製品毎にリモコンを配置すると、過剰のリモコンを収納する面倒さがあると共に、選用する場合も混乱し易い。
３．従来のリモコンは、固定した置き場所がないため、往々にして相応のリモコンが見つからず、不便な情況が生じる。
此れによって分かるように、上述従来技術には尚幾多の欠点及び不足があり、よい設計とはいいがたく、改良が待たれていた。
本案考案者は、上述従来方式の各項欠点及び不足に鑑み、極力新規改良を試み、且つ長年苦心研鑽の末、ついに本案の移動可能なコントロールパネルの研究開発に成功した。
【考案の開示】
【考案が解決しようとする課題】
【０００４】
本考案の目的は、視聴家電製品の上に嵌設し、視聴家電製品から取り外すと、リモコンとして使用できる移動可能なコントロールパネルを提供することにある。
本考案のもう一つの目的は、前記コントロールパネルは視聴家電製品上に相対的位置を有するため、リモコンとしてのコントロールパネルを使用終了すると、又視聴家電製品の上に戻し、従来のリモコンが収納に困ることを避ける事が出来る移動可能なコントロールパネルを提供することにある。
本考案の更にもう一つの目的は、視聴家電製品の製造コストを引き下げ、操作が簡単便利で、体積が小さく、適用範囲が広いなどの長所を備えた移動可能なコントロールパネルを提供することにある。
【課題を解決するための手段】
【０００５】
上述目的を達成できる移動可能なコントロールパネルは、マイクロプロセッサーと、無線伝送/接収モジュールと、ディスプレイモジュールと、音源アンプモジュール及びイヤホン接続器からなり、前記プロセッサー、モジュール及び接続器にケースを付けてコントロールパネルを形成する。
このコントロールパネルは視聴家電製品に嵌設又は分離することが出来、視聴家電製品のリモコンとして、視聴家電製品を使用しない時又はリモートコントロールしない時は、このコントロールパネルは視聴家電製品の上に嵌設しておかれ、ユーザーは直接押しボタン方式で前記コントロールパネルを使用することが出来る。
ユーザーが離れたところにいて、遠隔コントロールをする必要がある時は、前記コントロールパネルを視聴家電製品から取り外すと、前記コントロールパネルはリモコンの役割を果たし、ユーザーは遠隔コントロールを行うことが出来る。
【考案の効果】
【０００６】
本考案の提供する移動可能なコントロールパネルは、その他従来の技術に比べ、更に下記のような長所がある、
１．本考案に係る移動可能なコントロールパネルは、視聴家電製品の上に嵌設され、前記コントロールパネルを視聴家電製品からはずすと、リモコンとして使用できる。
２．本考案に係る移動可能なコントロールパネルは、視聴家電製品の上に相応の位置を有するので、コントロールパネルをリモコンとして使ったあとは、視聴家電製品の上に戻し、従来のようなリモコンの収納に困る情況を避けることが出来る。
３．本考案に係る移動可能なコントロールパネルは、視聴家電製品の製造コストを引き下げ、操作が便利で簡単、体積が小さく、適用範囲が広いなどの長所がある。
【考案を実施するための最良の形態】
【０００７】
図１は、本考案に係る移動可能なコントロールパネルの第一実施ブロック図である。図を見ればわかるように、本考案に係る移動可能なコントロールパネル１には、主として、マイクロプロセッサー１２に接続され、視聴家電製品３の中に設置されたもう一つの無線伝送/接収モジュール３１と、コントロール信号や音源信号及びディスプレイ信号を相互伝送/接収するための無線伝送/接収モジュール１１と、無線伝送/接収モジュール１１と、ディスプレイ/コントロールモジュール１３及び音源アンプモジュール１４とに接続され、各モジュール間のデータ転換及び伝送を処理することの出来るマイクロプロセッサー１２と、マイクロプロセッサー１２に接続され、視聴家電製品の使用状態やコントロール情報及びコントロール指令の入力をディスプレイ/コントロールするためのディスプレイ/コントロールモジュール１３と、マイクロプロセッサー１２に接続され、視聴家電製品から伝送される音源信号を拡大し、且つその信号をイヤホン接続器１５へ出力するための音源アンプモジュール１４と、音源アンプモジュール１４に接続され、音源信号を接収し且つイヤホンを差込んで音源を出力するためのイヤホン接続器１５と、を含み、前記マイクロプロセッサー、モジュール及び接続器にケースを付けて音源出力機能を有する移動可能なコントロールパネル１を形成する。
【０００８】
図２は、本考案に係る移動可能なコントロールパネルの第二実施ブロック図である。図を見れば分かるように、本考案に係る移動可能なコントロールパネル２は、主として、マイクロプロセッサー２２に接続され、視聴家電製品３の中に設置されたもう一つの無線伝送/接収モジュール３１と、コントロール信号や音源信号及びディスプレイ信号を相互伝送/接収するための無線伝送/接収モジュール２１と、無線伝送/接収モジュール２１と、ディスプレイ/コントロールモジュール２３に接続され、各モジュール間のデータ転換及び伝送を処理することの出来るマイクロプロセッサー２２と、マイクロプロセッサー２２に接続され、視聴家電製品の使用状態やコントロール情報及びコントロール指令の入力をディスプレイ/コントロールするためのディスプレイ/コントロールモジュール２３と、を含み、前記マイクロプロセッサー及びモジュールにケースを付けて音源出力機能を有する移動可能なコントロールパネル２を形成する。
【０００９】
図３及び図４は、本考案に係る移動可能なコントロールパネルの実体結合略図及び分離実施略図である。
図を見れば分かるように、本考案に係る移動可能なコントロールパネル４は、視聴家電製品５に設置された収納スペース５１の中に嵌め込み又は外すことが出来、分離した後は、視聴家電製品５のリモコンとすることが出来る。
視聴家電製品を使わない時又はリモートコントロールしない時は、前記コントロールパネル４を視聴家電製品５の上に結合し、ユーザーは直接押しボタン方式でこのコントロールパネル４を使用することが出来、且つ前記移動可能なコントロールパネルを視聴家電製品の上に搭載中は、視聴家電製品を通じて充電することが出来る。
【００１０】
図５は、本考案に係る移動可能なコントロールパネルの操作実施略図である。
図を見れば分かるように、ユーザーが離れていて遠隔コントロールが必要な場合は、前記コントロールパネル４を視聴家電製品５から外し、リモコンの役割に転じさせ、ユーザーはリモートコントロールすることが出来る。
【００１１】
上述の詳細な説明は、本考案の実施可能な例の具体的説明である、但し実施例は本考案の請求範囲を制限するものではなく、凡そ本考案の技芸精神を逸脱せずになされる等価実施又は変更は、すべて本案の請求の範囲に含まれるものとする。
【図面の簡単な説明】
【００１２】
【図１】本考案に係る移動可能なコントロールパネルの第一実施ブロック図である。
【図２】前記移動可能なコントロールパネルの第二実施ブロック図である。
【図３】前記移動可能なコントロールパネルの実体結合略図である。
【図４】前記移動可能なコントロールパネルの分離実施略図である。
【図５】前記移動可能なコントロールパネルの操作実施略図である。
【符号の説明】
【００１３】
１・・・・移動可能なコントロールパネル
１１・・・無線伝送/接収モジュール
１２・・・マイクロプロセッサー
１３・・・ディスプレイ/コントロールモジュール
１４・・・音源アンプモジュール
１５・・・イヤホン接続器
２・・・・移動可能なコントロールパネル
２１・・・無線伝送/接収モジュール
２２・・・マイクロプロセッサー
２３・・・ディスプレイ/コントロールモジュール
３・・・・視聴家電製品
３１・・・無線伝送/接収モジュール
４・・・・移動可能なコントロールパネル
５・・・・視聴家電製品
５１・・・収納スペース
【図１】
0003140112.tif 000003
【図２】
0003140112.tif 000004
【図３】
0003140112.tif 000005
【図４】
0003140112.tif 000006
【図５】
0003140112.tif 000007